(57)【要約】      （修正有）【課題】スキーをしないときに、防風リングを収納して、スキースーツを一般の服装として着用することができる防風リング収納構造付きスキースーツを提供する。【解決手段】スキースーツのライニング１０の裾に防風リング２０が設けられ、防風リングは、ライニングと連接する固定端２１と、固定端と垂直し互いに係合可能な二つの結合端２２，２３と、を含み、固定端に対向する一端に伸縮バンド２４が設けられる防風リング収納構造付きスキースーツにおいて、固定端の上でジッパー務歯２５，２６が設けられ、固定端の下では、上端に開口する収納袋３０が設けられ、収納袋の下端と左右端とがライニングとそれぞれ連接し、収納袋の上端の開口にジッパー務歯が設けられ、防風リングは収納袋に収納可能であり、ジッパー務歯を合せるとジッパーが構成され、ジッパーにより収納袋の上端の開口を封止することができる。【選択図】図１
0003159277.tif 000002
【実用新案登録請求の範囲】
【請求項１】
スキースーツのライニングの裾に防風リングが設けられ、該防風リングは、前記ライニングと連接する固定端と、前記固定端と垂直し互いに係合可能な二つの結合端と、を含み、前記固定端に対向する一端に伸縮バンドが設けられる防風リング収納構造付きスキースーツにおいて、
前記固定端の上でジッパー務歯が設けられ、
前記固定端の下では、上端に開口する収納袋が設けられ、前記収納袋の下端と左右端とが前記ライニングとそれぞれ連接し、前記収納袋の上端の開口にジッパー務歯が設けられ、
前記防風リングは前記収納袋に収納可能であり、前記ジッパー務歯を合せるとジッパーが構成され、前記ジッパーにより前記収納袋の上端の開口を封止することができることを特徴とする、防風リング収納構造付きスキースーツ。
【請求項２】
前記防風リングの結合端に係合構造がそれぞれ設けられ、前記収納袋の内側の両端には、前記結合端の前記係合構造と係合する係合構造がそれぞれ設けられることを特徴とする、請求項１に記載の防風リング収納構造付きスキースーツ。
【請求項３】
前記結合端の前記係合構造は少なくとも一つの押圧ボタンであり、前記収納袋の内側の両端にある前記係合構造は少なくとも一つの押圧ボタンであることを特徴とする、請求項２に記載の防風リング収納構造付きスキースーツ。
【請求項４】
前記結合端の前記係合構造は少なくとも一つの粘着具であり、前記収納袋の内側の両端にある前記係合構造は、前記結合端の前記粘着具と粘着する少なくとも一つの粘着具であることを特徴とする、請求項２に記載の防風リング収納構造付きスキースーツ。
【請求項５】
前記固定端の下でジッパー務歯が設けられ、これらの前記ジッパー務歯を合わせることによりジッパーが構成され、前記ジッパーにより前記収納袋の上端の開口を封止することができることを特徴とする、請求項１に記載の防風リング収納構造付きスキースーツ。
【請求項６】
前記防風リングの前記伸縮バンドにフックが少なくとも一つ設けられ、前記収納袋の底端には、前記フックに合せる掛け縄が設けられることを特徴とする、請求項１乃至５の何れかの一つに記載の防風リング収納構造付きスキースーツ。
【請求項７】
前記防風リングの前記伸縮バンドに粘着具が少なくとも一つ設けられ、前記収納袋の底端には、前記伸縮バンドの前記粘着具と粘着する粘着具が設けられることを特徴とする、請求項１乃至５の何れかの一つに記載の防風リング収納構造付きスキースーツ。
【請求項８】
前記防風リングの前記伸縮バンドに押圧ボタンが少なくとも一つ設けられ、前記収納袋の底端には、前記伸縮バンドの前記押圧ボタンと係合する押圧ボタンが設けられることを特徴とする、請求項１乃至５の何れかの一つに記載の防風リング収納構造付きスキースーツ。
【考案の詳細な説明】
【技術分野】
【０００１】
本考案は、防風リング付きスキースーツに関し、防風リング収納構造付きスキースーツに関するものである。
【背景技術】
【０００２】
スキーは、流行っているスポーツであり、ジョギングなどの伝統的なスポーツの退屈を克服することができる共に、身体を鍛錬する目的を達成することができ、その原因で、若者とファッションを愛する者はスキーをする人が多い。スキースーツは、スキーの標準装備の一つであり、防風効果を有し、雪の白い世界を飾ることができる。
【０００３】
防風リングは、スキースーツの不可欠なものであり、風のスキースーツ内への吹込みを防止することができ、そしてユーザが倒れたときに雪のスキースーツ内に侵入することを防止できる。
従来の防風リングは、脱着可能なタイプと、脱着不能なタイプと、に分けられる。現在、市販しているスキースーツは、ファッション及び実用性を同時に重視するため、実用性の他に、全体の美観も重視される。
上記の目的を同時に達成するために、防風リングの設計が重要になる。従来の脱着不能な防風リングによれば、平常時に、防風リングが余計なものになり、着用時の不快の原因になり、なお、従来の脱着可能な防風リングによれば、取り外れた防風リングを別に収納することが必要である問題があった。
【考案の概要】
【考案が解決しようとする課題】
【０００４】
本考案の主な目的は、スキーをしないときに、防風リングを収納して、スキースーツを一般の服装として着用することができる防風リング収納構造付きスキースーツを提供することにある。
【課題を解決するための手段】
【０００５】
本考案の防風リング収納構造付きスキースーツによると、スキースーツのライニングの裾に防風リングが設けられ、前記防風リングは、前記ライニングと連接する固定端と、前記固定端と垂直し互いに係合可能な二つの結合端と、を含み、前記固定端に対向する一端に伸縮バンドが設けられる防風リング収納構造付きスキースーツにおいて、
前記固定端の上でジッパー務歯が設けられ、
前記固定端の下では、上端に開口する収納袋が設けられ、前記収納袋の下端と左右端とが前記ライニングとそれぞれ連接し、前記収納袋の上端の開口にジッパー務歯が設けられ、
前記防風リングは前記収納袋に収納可能であり、前記ジッパー務歯を合せるとジッパーが構成され、前記ジッパーにより前記収納袋の上端の開口を封止することができることを特徴とする。
【０００６】
本考案の防風リング収納構造付きスキースーツによると、前記防風リングの結合端に係合構造がそれぞれ設けられ、前記収納袋の内側の両端には、前記結合端の前記係合構造と係合する係合構造がそれぞれ設けられることを特徴とする。
【０００７】
本考案の防風リング収納構造付きスキースーツによると、前記結合端の前記係合構造は少なくとも一つの押圧ボタンであり、前記収納袋の内側の両端にある前記係合構造は少なくとも一つの押圧ボタンであることを特徴とする。
【０００８】
本考案の防風リング収納構造付きスキースーツによると、前記結合端の前記係合構造は少なくとも一つの粘着具であり、前記収納袋の内側の両端にある前記係合構造は、前記結合端の前記粘着具と粘着する少なくとも一つの粘着具であることを特徴とする。
【０００９】
本考案の防風リング収納構造付きスキースーツによると、前記固定端の下でジッパー務歯が設けられ、これらの前記ジッパー務歯を合せるとジッパーが構成され、前記ジッパーにより前記収納袋の上端の開口を封止することができることを特徴とする。
【００１０】
本考案の防風リング収納構造付きスキースーツによると、前記防風リングの前記伸縮バンドにフックが少なくとも一つ設けられ、前記収納袋の底端には、前記フックに合せる掛け縄が設けられることを特徴とする。
【００１１】
本考案の防風リング収納構造付きスキースーツによると、前記防風リングの前記伸縮バンドに粘着具が少なくとも一つ設けられ、前記収納袋の底端には、前記伸縮バンドの前記粘着具と粘着する粘着具が設けられることを特徴とする。
【００１２】
本考案の防風リング収納構造付きスキースーツによると、前記防風リングの前記伸縮バンドに押圧ボタンが少なくとも一つ設けられ、前記収納袋の底端には、前記伸縮バンドの前記押圧ボタンと係合する押圧ボタンが設けられることを特徴とする。
【考案の効果】
【００１３】
本考案の防風リング収納構造付きスキースーツによれば、次のような効果がある。
（１）スキーをしないときには、収納袋に防風リングを収納して確実に固定することができるため、防風リングの収納が便利になり、且つ収納袋に防風リングを収納することにより、スキースーツを一般の服装として着用することができ、なお、スキーをするときには、収納袋から防風リングを直接に取出して利用することができる。
【００１４】
（２）スキーをするときに、防風リングの伸縮バンドに設けられるフックにより、スキーパンツにフックを掛けることにより、防風リングが良く固定され、スキースーツの防風性が更に向上する。
【図面の簡単な説明】
【００１５】
【図１】本考案の防風リング収納構造付きスキースーツが展開されて防風リングが上に旋回された状態の模式図である。
【図２】本考案の防風リング収納構造付きスキースーツが展開されて防風リングが下に旋回された状態の模式図である。
【図３】本考案に係る防風リングが収納袋に収納された状態の模式図である。
【図４】本考案に係る防風リングの固定端の下にあるジッパー務歯が収納袋にあるジッパー務歯と連結した状態の模式図である。
【図５】本考案の防風リング収納構造付きスキースーツがユーザに着用される状態の模式図である。
【考案を実施するための形態】
【００１６】
以下、本考案の実施の形態を図面に基づいて説明する。
まず、図１及び図２を参照する。本考案の防風リング収納構造付きスキースーツは、そのライニング１０の裾１１には、条状を呈する防風リング２０が設けられ、防風リング２０は、その上端がライニング１０と連接する固定端２１であり、その左右端に結合端２２、２３がそれぞれ形成され、その下端には、裾１１に沿って伸縮可能な伸縮バンド２４が形成される。固定端２１の上および下でジッパー務歯（Zip Teeth）２５、２６がそれぞれ設けられ、結合端２２、２３に押圧ボタン２２０、２３０がそれぞれ設けられ、押圧ボタン２２０、２３０により結合端２２、２３を係合することができる。結合端２２、２３には、更に、係合構造が設けられ、係合構造は、図面に示すように、少なくとも一つの押圧ボタン２２１、２３１でもよい。防風リング２の下端に少なくとも一つのフック２７が連接される。
【００１７】
防風リング２０の下では、防風リング２０に合せられ上端に開口を有する収納袋３０が設けられ、収納袋３０が防風リング２０を収納可能である。収納袋３０の下端と左右端がライニング１０とそれぞれ連接し、収納袋３０の上端にある開口にジッパー務歯３１が設けられ、図３及び図４に示すように、防風リング２０のジッパー務歯２５、２６にジッパー務歯３１を合せると、ジッパーが構成され、このジッパーにより収納袋３０の上端にある開口を封止することができる。収納袋３０の内側の両端には、少なくとも一つの押圧ボタン３２、３３がそれぞれライニング１０で設けられ、押圧ボタン３２、３３が防風リングの二つの結合端２２、２３にある押圧ボタン２２１、２３１とそれぞれ係合する。収納袋３０の底端には、防風リング２０の下端に設けられたフック２７と係合する掛け縄３４が少なくとも一本設けられる。
【００１８】
スキーをしないときには、図３に示すように、収納袋３０に防風リング２０を入れて、押圧ボタン３２に押圧ボタン２２１を係合して、押圧ボタン３３に押圧ボタン２３１を係合して、フック２７と掛け縄３４を係合して、ジッパー務歯２５、３１から構成されるジッパーを封止すると、防風リング２０が収納袋３０内に固定し隠され、そうすると、本考案のスキースーツを一般の服装として着用することができる。
【００１９】
なお、押圧ボタン２２１、２３１、３２、３３、フック２７及び掛け縄３４を取り除いて、防風リング２０を収納袋３０内に隠すだけでもよい。そうすると、本考案のスキースーツの着用が更に快適になる。
【００２０】
また、押圧ボタン２２１、２３１、３２、３３の代りに粘着具を使用し、粘着方式により結合端２２、２３を収納袋３０内に固定し、フック２７と掛け縄３４の代りに粘着具または押圧ボタンを使用し、粘着方式または押圧ボタンによる係合方式により伸縮バンド２４を収納袋３０内に固定してもよい。
【００２１】
図４乃至図６を参照する。スキーをするときには、収納袋３０から防風リング２０を引出して、ジッパー務歯２６、３１から構成されるジッパーを封止して、押圧ボタン２２０、２３０によりユーザの腰部に防風リング２０の結合端２２、２３を係合して、ユーザの腰部にフック２７を係合すると、風および雪のスキースーツ内への侵入を防止することができる。
【００２２】
また、フック２７を省略してもよい。すなわち、フック２７を省略しても、防風リング２０の正常な機能に影響しない。
【産業上の利用可能性】
【００２３】
本考案は、スキースーツに適用することができる。
【符号の説明】
【００２４】
１０  ：ライニング
１１  ：裾
２０  ：防風リング
２１  ：固定端
２２  ：結合端
２３  ：結合端
２４  ：伸縮バンド
２５  ：ジッパー務歯
２６  ：ジッパー務歯
２７  ：フック
３０  ：収納袋
３１  ：ジッパー務歯
３２  ：押圧ボタン
３３  ：押圧ボタン
３４  ：掛け縄
２２０：押圧ボタン
２２１：押圧ボタン
２３０：押圧ボタン
２３１：押圧ボタン
【図１】
0003159277.tif 000003
【図２】
0003159277.tif 000004
【図３】
0003159277.tif 000005
【図４】
0003159277.tif 000006
【図５】
0003159277.tif 000007